(57)【要約】      （修正有）【課題】紙パック本体とストローとを一体化することで、飲用前にストローを袋から取り出したり、ストローを差し込み口へ差し込んだりする必要のないストロー付き紙パックを提供する。【解決手段】紙パック本体２及びストロー３を備え、該紙パック本体２の一側面６には接着加工されて形成された延出条７が上下方向に延設され、該側面６の上端６ａには折り代部８ａ、８ｂを外側へ向けて形成する。該ストロー３は該延出条７に沿って上下方向に配置され、該延出条７が該ストロー３の少なくとも一部を被覆するように該ストロー３に接着され、該ストロー３の一端３ｂは該紙パック本体２の下端に形成されたストロー接続孔９に接着され、他端部３ａは該折り代部８ａが下方へ折り曲げられることで密封されている。【選択図】図１
0003180950.tif 000002
【実用新案登録請求の範囲】
【請求項１】
内空に飲料が入れられた紙パック本体と、該飲料を飲むためのストローとを備えるストロー付き紙パックにおいて、
前記紙パック本体は、
耐水性紙材を曲げ加工することで左右方向のうち少なくとも一方が開口する筒体を作製し、該筒体の開口部において互いに向かい合う開口縁同士を接着することで箱形状とされるものであり、
該紙パック本体の側面に形成された開口縁の接着部位が、該紙パック本体から側方に向けて差し出され、かつ上下方向に沿って形成される延出条とされており、
また、該紙パック本体の上端であって、該延出条の上端に対応する位置には、折り代部が外側へ向けて突成されており、
さらに、該紙パック本体の側面の下端部であって、該延出条の下端に対応する位置には、ストロー接続孔が形成されており、該ストロー接続孔に前記ストローの一端が接着されて該紙パック本体内と該ストロー内とが連通し、かつ該ストローが該延出条に沿って該紙パック本体の側面に上下方向に取り付けられ、該ストローの他端部が該折り代部まで到達しており、しかも該延出条が該ストローの外表面の少なくとも一部を被覆するように該ストローに接着され、
また、該折り代部が下方へ向けて折り曲げられることで該ストローの他端部が下向きに折り曲げられ、該折り代部が該紙パック本体の側面に接着されることで該ストローの他端部が密封されていることを特徴とするストロー付き紙パック。
【考案の詳細な説明】
【技術分野】
【０００１】
本考案は、飲料が入れられたストロー付き紙パックに関する。
【背景技術】
【０００２】
従来、図５に示すような、紙パック容器本体２０とストロー３０とを別体として、該紙パック容器本体２０外面に該ストロー３０が封入された袋４０を接着してなるストロー付き紙パック１０が良く知られている（例えば特許文献１，２参照）。そして、該紙パック容器本体２０内の飲料を飲用する際には、まず該袋４０からストロー３０を取り出し、次いで該紙パック容器本体２０に設けられたストロー差し込み口９０に該ストロー３０を差し込んで、該ストロー３０の突き出た部分を吸い口としている。該ストロー３０は二重筒状になっているものを引き伸ばして使用するものも既に良く知られている。
【０００３】
また、特許文献１，２にかかるパックの課題を解決すべく、特許文献３に記載されているように、飲料物の色や残量が目視できるように、紙パックの下部にストローを固着したものも提案されている。これによって紙パック内の液状を残すことなく飲み終えることができ、またストローが下部に設置されているために幼児や病人などの飲食が困難な場合でも紙パックを持ち上げることで飲料物を口に流し込むこともできる。更に、該ストローを透明な樹脂材で加工し、目盛りを印刷することで、紙パック内の液状の容量が簡単に目測できる利点もある。
【先行技術文献】
【特許文献】
【０００４】
【特許文献１】特開２０００−３１３４３５号公報
【特許文献２】国際公開第２００５／０１４４３０号
【特許文献３】特開２００６−１１１３２２号公報
【考案の概要】
【考案が解決しようとする課題】
【０００５】
しかしながら、上記特許文献３のような従来の構成にあっては、ストローが紙パックの本体から突き出る形となっており、運搬、販売、保存時において該ストローに傷がついて飲料がこぼれ出たり、露光によって飲料の変性（腐敗等）が起こったりする可能性があった。また、飲用するまで該ストローの吸い口に栓をしておく必要があった。
【課題を解決するための手段】
【０００６】
本考案は、内空に飲料が入れられた紙パック本体と、該飲料を飲むためのストローとを備えるストロー付き紙パックにおいて、前記紙パック本体は、耐水性紙材を曲げ加工することで左右方向のうち少なくとも一方が開口する筒体を作製し、該筒体の開口部において互いに向かい合う開口縁同士を接着することで箱形状とされるものであり、該紙パック本体の側面に形成された開口縁の接着部位が、該紙パック本体から側方に向けて差し出され、かつ上下方向に沿って形成される延出条とされており、また、該紙パック本体の上端であって、該延出条の上端に対応する位置には、折り代部が外側へ向けて突成されており、さらに、該紙パック本体の側面の下端部であって、該延出条の下端に対応する位置には、ストロー接続孔が形成されており、該ストロー接続孔に前記ストローの一端が接着されて該紙パック本体内と該ストロー内とが連通し、かつ該ストローが該延出条に沿って該紙パック本体の側面に上下方向に取り付けられ、該ストローの他端部が該折り代部まで到達しており、しかも該延出条が該ストローの外表面の少なくとも一部を被覆するように該ストローに接着され、また、該折り代部が下方へ向けて折り曲げられることで該ストローの他端部が下向きに折り曲げられ、該折り代部が該紙パック本体の側面に接着されることで該ストローの他端部が密封されていることを特徴とするストロー付き紙パックである。
【０００７】
このように本考案は、飲用前に既に前記紙パック本体と前記ストローとが一体化されており、前記延出条によって前記ストローが被覆されていることを大きな特徴としている。例えば、該ストローのほぼ全面が該延出条によって被覆されていると、運搬、販売、保存時に該ストローに傷がついたり、露光によって飲料の変性が起こったりすることを好適に防止できる。また、該ストローが部分的に被覆されていると、飲料の品質低下をある程度抑制でき、かつ露出した部分から飲料の内容量を即座に把握できる。
【０００８】
更に本考案は、紙パック本体の折り代部が下方へ向けて折り曲げられることでストローが密封されていることを第二の特徴としている。かかる構成とすることにより、運搬、販売、保存時に栓などを使用する必要がない。なお、該飲料の飲用に際しては、紙パック本体の側面に接着された折り代部を上向きに展開することにより、ストローの他端（吸い口）の密封が開放されることになる。
【考案の効果】
【０００９】
本考案のストロー付き紙パックは、ストローを封入する袋やストローの差し込み口が不要であり、幼児や老人、障害者等の力や視力の弱い者でも簡単に使用可能である。また、飲料を最後まで飲み切ることが可能である。また、内容量を瞬時に把握することも可能である。また、簡単な構成で栓などを別途設ける必要がなく、安全に運搬、販売、保存が可能である。
【図面の簡単な説明】
【００１０】
【図１】実施例にかかるストロー付き紙パックの外観斜視図であり、（ａ）は通常時の状態を示し、（ｂ）は飲用時の状態を示す。
【図２】紙パック本体の作製過程を示す説明図である。
【図３】延出条を示す外観斜視図である。
【図４】実施例にかかるストロー付き紙パックの側面の構造を説明する説明図である。
【図５】従来のストロー付き紙パックの斜視図である。
【考案を実施するための形態】
【００１１】
以下、本考案のストロー付き紙パックを具体化した実施例を詳細に説明する。
【００１２】
なお、本考案は、下記に示す実施例に限定されることはなく、適宜設計変更が可能である。
【００１３】
図１に示すように、前記ストロー付き紙パック１は、紙パック本体２及びストロー３を備えている。該紙パック本体２は、耐水性紙材４を接着及び折り曲げ加工することで直方体形状の箱型に形成されており、その内空には飲料５が収容される。さらに詳述すると、該紙パック本体２は、以下の手順で作製される。図２に示すように、まず、シート状の耐水性紙材４を曲げ加工して左右方向のうち少なくとも一方が開口する筒体を作製する。
【００１４】
次いで、該筒体の開口部において互いに向かい合う開口縁同士を接着することで飲料を収容可能な箱形状とする。
【００１５】
また、図３に示すように、該紙パック本体２の側面６に形成された開口縁の接着部位は、該紙パック本体２から側方に向けて差し出され、かつ上下方向に沿って形成される延出条７とされる。
【００１６】
また、該紙パック本体２の上端６ａであって、該延出条７の上端に対応する位置には、略三角形状の折り代部８が外側へ向けて突成されている。
【００１７】
さらに、図４等に示すように、該紙パック本体２の側面６の下端部であって、該延出条７の下端に対応する位置には、ストロー接続孔９が形成されている。そして、該ストロー接続孔９に、前記ストロー３の一端３ｂが接着されている。また、該ストロー３は、該延出条７に沿って該紙パック本体２の側面６に上下方向に取り付けられている。なお、ストロー３の全長は、その他端が折り代部８に到達する長さに設定されている。さらに、紙パック本体２の延出条７が、該ストロー３の外表面の少なくとも一部を上下方向に沿って被覆するように配置され、該ストロー３の外表面に接着されている。
【００１８】
そしてさらに、前記折り代部８が下方へ向けて折り曲げられることで、該ストロー３の吸い口３ａ（他端部）が下向きに折り曲げられる。そして、該折り代部８が該紙パック本体２の側面６に接着されることで該ストロー３の折り曲げ部３ｃが折曲され、かつ吸い口３ａが押しつぶされて密封状態となっている。
【００１９】
このとき、前記ストロー３は部分的に前記延出条７によって被覆されているので、該ストロー３に傷がついて飲料５がこぼれ出たり、露光によって飲料５の変性が起こったりする可能性が抑制される。
【００２０】
そして前記ストロー付き紙パック１を飲用する時には、前記折り代部８を上方へ展開する。そうすると、該ストロー３の密封が開放され、図１ｂに示すように該吸い口３ａは前記紙パック本体２から突き出された状態となる。
【００２１】
前記紙パック本体２の側面６に延設形成される延出条７及び折り代部８は、紙パック本体２の作製過程において、筒体の開口部の開口縁同士を接着し、さらに外側へ突き出した形状に加工するだけで形成できる簡単な構造である。そして該折り代部８が下方へ折り曲げられて接着されるだけで前記ストロー３が密封されるため、簡易な構造で飲料５の漏洩が防止できる。
【００２２】
更に飲用に際しては、該折り代部８を上方へ展開する、即ち該折り代部８の下方への接着を解除するだけで該ストロー３の吸い口３ａが該紙パック本体２から突き出された状態となるため、幼児や老人等にとっても取り扱いが極めて容易である。つまり、従来のように袋の中からストローを取り出したり、取り出したストローを引き伸ばしたり、更にストローを紙パック本体のストロー差し込み口に差し込んだりする必要が全くない。また、ストローの吸い口にあらかじめ栓をしておく必要もない。
【００２３】
本実施例において、前記耐水性紙材４やストロー３の材料は特に限定されず、公知のものが好適に適用される。
【符号の説明】
【００２４】
１            ストロー付き紙パック
２            紙パック本体
３            ストロー
３ａ          吸い口（他端部）
４            耐水性紙材
５            飲料
６            側面
６ａ          上端
７            延出条
８            折り代部
９            ストロー接続孔９
【図１】
0003180950.tif 000003
【図２】
0003180950.tif 000004
【図３】
0003180950.tif 000005
【図４】
0003180950.tif 000006
【図５】
0003180950.tif 000007